(57)【要約】【課題】スロットマシン等の遊技機の更新する際に、遊技ユニットを積み重ねて仮置き可能とすることにより、通路等のスペースの確保を図る。【解決手段】スロットマシン等のスロットユニット５は、本体部９と前枠部１１との外周の寸法が異なる上に、本体部自体も水平になっていないものが多い。したがってそのままでは、積み重ねることができないことから、更新等の際に通路等に１基ずつ仮置きしているため、占拠面積が大きくなり他の作業の邪魔になっている。例えば、各スロットユニットに積み重ね補助手段４０を設けることにより、スロットユニットを複数段に積み重ね可能としたものである。スロットユニット５の各側部に支持部材４１を起立状態と垂下状態とに変化可能に設け、積み重ねる際には、起立状態になった支持部材上に他のスロットユニットを積み重ね可能としてある。【選択図】　　　図４
2004097627.tif 000002
【特許請求の範囲】
【請求項１】
前面に開閉自在に扉が設けてあり、かつ上部には前面開口の収納部が設けてある筐体と、上記収納部に取り出し可能に収納してある遊技ユニットを備えた遊技機において、
上記遊技ユニットの上部には、当該遊技ユニットの上方に突出可能な積み重ね補助手段が設けてあり、上記遊技ユニットの下部には、当該遊技ユニットを積み重ね支持する他の遊技ユニットの上記積み重ね補助手段により支持可能な底板部が設けてあり、
上記積み重ね補助手段は、上記ユニット上に積み重ねられる他の遊技ユニットの上記底板部に当接して当該他の遊技ユニットを上記遊技ユニット上に積み重ね可能に構成してある
ことを特徴とする遊技機。
【請求項２】
請求項１において、上記積み重ね補助手段は、上記遊技ユニットの上部から上記遊技ユニットの他の部位に移動可能に構成してあることを特徴とする遊技機。
【請求項３】
請求項１又は請求項２のいずれかにおいて、上記積み重ね補助手段は、上記遊技ユニットに対して着脱自在に構成してあることを特徴とする遊技機。
【請求項４】
請求項１又は請求項２のいずれかにおいて、上記積み重ね補助手段は、上記遊技ユニットの側部の上面から下方に向けて所定距離まで形成してなる凹部と、外側部間の距離よりも所定量だけ短い門形に形成してなる支持部材と、上記支持部材の脚部の開口部側端部近傍を上記凹部の側壁部間に支持する支軸と、上記脚部の開口側端部近傍に設けてある係合突起と、上記支持部材を上記凹部のいずれかの側壁部に上記係合突部と係合可能に設けてある係合凹部と、上記係合突部と上記係合凹部との係合状態を維持する方向に付勢可能に設けてある付勢手段とにより構成してあることを特徴とする遊技機。
【請求項５】
請求項１又は請求項２のいずれかにおいて、上記積み重ね補助手段は、門形に形成された脚部及びこれらの脚部の各先端部を直角に折り曲げてなる足部からなる支持部材と、各上記足部を上記本体部の上部に揺動自在に支持する支軸とからなり、
当該積み重ね補助手段の使用時には、上記足部が上記本体部の上部に当接しているとともに上記脚部が上記遊技ユニット上に起立し、当該積み重ね補助手段の不使用時には、上記足部が上記遊技ユニットの上面に当接しているとともに上記脚部は上記遊技ユニットの側面に沿って垂下可能としてある
ことを特徴とする遊技機。
【請求項６】
請求項４又は請求項５のいずれかにおいて、上記支持部材は上記遊技ユニットを運搬する際における運搬補助手段としての機能を兼備していることを特徴とする遊技機。
【請求項７】
請求項１又は請求項２のいずれかにおいて、上記積み重ね補助手段は、上記遊技ユニットの両側上部に固着してある保持部材と、各上記保持部材に揺動自在に支持されているとともに、内回りで回動させて斜め上向きになったときに当該保持部材の各ストッパ部に当接するまで回動可能に設けてある１対の支持板と、他の積み重ねられる上記遊技ユニットの底部に取り付けてあり、各上記支持板の自由端部を係止可能に形成してなる係止部を有する底部係止部材とにより構成してあり、
各上記支持板は当該積み重ね補助手段の使用時には、互いに末広がり状になっている各上端部に他の遊技ユニットを支持可能であるとともに、当該積み重ね補助手段の不使用時には、上記保持部材に垂下状態に支持可能としてある
ことを特徴とする遊技機。
【請求項８】
請求項１又は請求項２のいずれかにおいて、上記積み重ね補助手段は、上記遊技ユニットの各側部にガイド手段を介して昇降自在に設けてある載置部材と、
上記載置部材の内側に揺動自在に支持されているＬ字形断面に形成してなる支持プレートとからなり、
当該積み重ね補助手段の不使用時には、上記支持プレートの長辺部が上記遊技ユニットの上部に水平になって当接するとともに上記載置部材の上部が上記支持プレートの長辺部の上面に折り重ね状態に当接可能であり、
当該積み重ね補助手段の使用時には、上記支持プレートの短辺部が上記遊技ユニットの後部上面に形成された係合凹部に係合しているとともに上記長辺部が起立して上記載置部材を所定高さに支持可能としてある
ことを特徴とする遊技機。
【請求項９】
請求項８において、上記載置部材には、上記遊技ユニットの側面を部分的に覆うように設けてある側面板部に、起立状態になっている上記支持プレートの起立状態を解除するために用いる支持プレート解除窓が設けてあることを特徴とする遊技機。
【発明の詳細な説明】
【０００１】
【発明の属する技術分野】
本発明は、スロットマシン等の遊技機に関するものである。
【０００２】
【従来の技術】
スロットマシンやパチンコ機等の遊技機は、更新のサイクルが短いため、更新作業の能率化は遊技場経営の大きな要素となっている。特にスロットマシンは一基当たりの容積が大きいため、通常は、特許第３１２６８１２号及び特開平１０−５２５２５号公報に開示されているように、スロットユニット及びこれに関連する装飾パネルだけを更新し、厄介な筐体ごとの機種交換を行わず、要部だけを更新することが行われている。通常の機種交換の際には、スロットユニットを筐体から取り外し、これを一旦遊技場の通路上に仮置きし、ある程度の数にまとまったところでトラックなどへ運搬している。
【０００３】
【発明が解決しようとする課題】
スロットユニットは、ドラム等を内蔵する本体部と、リール部や電飾部等を表示する前枠部とは形状・寸法が異なるため、積み重ねることが不可能となっているため、機種の交換作業を行う際にも通路上等に並べて置くことが余儀なくされている。上記したように、スロットユニットを遊技場の通路上に仮置きすると、狭い通路が塞がってしまうため、他の作業者の通行やスロットユニットの搬出作業の邪魔になっている。そこで、これらのスロットユニットを積み重ねた状態で仮置き可能とすることにより、スペースを節減することが望まれている。また、取り外したスロットユニットをトラック等に積み込む際にも、積み重ねて置くことができないため、積載数に制限を生じる他、倉庫等に仮収納するような場合にもスペース上の問題を生じている。
【０００４】
そこで本発明の目的は、スロットユニット等の遊技ユニットを積み重ねて仮置き可能とする積み重ね補助手段を採用することにより、遊技場における仮置きや運送手段又は仮保管場などのスペースの節減を可能とする遊技機を提供することにある。
【０００５】
【課題を解決するための手段】
上記の目的を達成するために、本発明は、本発明の上位概念を限定したものである。すなわち、本発明を適用する遊技機は、前面に開閉自在に扉が設けてあり、かつ上部には前面開口の収納部が設けてある筐体と、上記の収納部に取り出し可能に収納してある遊技ユニットを備えたスロットマシン等の遊技機に以下の手段を採用したものである。なお、上記の扉には、筐体の下部だけを覆うように設けてあるものや筐体の前面全体を覆うように設けられるもの等があり、さらに、下部にパネル表示部等を備えたものなどがあるが、本発明における扉はこれらのすべての扉を含むものである。
【０００６】
（請求項１に記載した発明の構成）
請求項１に記載した本発明に係る遊技機は、上部に前面開口の収納部が設けてあり、かつ下部にパネル表示部を備えた扉が設けてある筐体と、上記の収納部に取り出し可能に収納してある遊技ユニットに以下のような諸手段を採用したものである。すなわち、
上記の遊技ユニットの上部には、この遊技ユニットの上方に突出可能な積み重ね補助手段が設けてあり、下部には、この遊技ユニットを積み重ね支持する他の遊技ユニットの積み重ね補助手段により支持可能な底板部が設けてある。
上記の積み重ね補助手段は、遊技ユニット上に積み重ねられる他の遊技ユニットの底板部に当接して他の遊技ユニットをこの遊技ユニット上に積み重ね可能に構成してあるところに特徴がある。
【０００７】
（請求項１に記載した発明の作用効果）
上記したように、遊技機に積み重ね補助手段と底板部とを備えており、積み重ねて仮置き不能な形状の遊技ユニットを積み重ねようとする際に、下に位置する遊技ユニットの上部に設けた積み重ね補助手段の上端部が、積み重ねられて上になる他の遊技ユニットの底板部に当接することにより、形状の不一致に起因する積み重ね上の障害を除去したものである。これにより遊技機の更新やメンテナンス等のために遊技ユニットを筐体から取り外して遊技場の通路等に仮置きする際に、積み重ねて置くことができるので、狭い通路等のスペースが節減され、他の作業者等の通行の邪魔になることも減少する。また、運搬する際におけるトラック等への積み込みや、倉庫等への一時保管の際にも他の遊技ユニットを積み重ねることが可能となるため、スペースの有効利用が可能となる。なお、積み重ね補助手段と運搬補助手段とを兼用するものにあっては、運搬能率が高くなるほか、スロットユニットの積み重ね作業も容易化するため機種交換の作業能率を向上させることが可能となる。
【０００８】
（請求項２に記載した発明の特徴）
請求項２に記載した発明は、上記の積み重ね補助手段を、遊技ユニットに相当する遊技ユニットの上部からこの遊技ユニットの他の部位に移動可能に構成してあるところに特徴がある。積み重ね補助手段は、遊技ユニットの上部における上下の高さの不均一を乗り越えて、その上に他の遊技ユニットを積み重ね可能とするものであるが、通常の筐体に収納された状態になっているような時には、不要なものでありかつ邪魔になることもある。そこで、この積み重ね補助手段の不使用時には、遊技ユニットの側部や後部等に移動させて使用上の支障を生じないようにしたものである。
【０００９】
（請求項３に記載した発明の特徴）
請求項３に記載した発明は、上記の積み重ね補助手段を上記の遊技ユニットに対して着脱自在に構成してあるところに特徴がある。これも請求項２に記載した発明と同様の理由により、不使用時には取り外して筐体への収納等の支障を除去しようとするものである。
【００１０】
（請求項４に記載した発明の特徴）
請求項４に記載した発明に係る遊技機は、上記の積み重ね補助手段の第１の構成例を具体化したものである。すなわち、上記の積み重ね補助手段は、上記遊技ユニットの後部に位置する本体部の側部の上面から下方に向けて所定距離まで形成してなる凹部と、外側部間の距離よりも所定量だけ短い門形に形成してなる支持部材と、この支持部材の脚部の開口部側端部近傍を上記の凹部の側壁部間に支持する支軸と、上記の脚部の開口側端部近傍に設けてある係合突部と、上記の支持部材を上記の凹部のいずれかの側壁部に上記の係合突部と係合可能に設けてある係合凹部と、これらの係合突部と係合凹部との係合状態を維持する方向に付勢可能に設けてある付勢手段とにより構成してある。
【００１１】
この支持部材は、起立状態になっているときの上辺は遊技ユニットの前部に位置する前枠部の上辺の高さ以上になるように構成することにより、遊技ユニットを積み重ねたときに前枠部による高さの不揃いを排除可能としてあるところに特徴がある。支持部材は、起立状態になっているときには、上記の係合突部と係合凹部とが係合し、圧縮ばねなどの付勢手段によりその状態を保持可能としてあるので、上方から荷重が加わっても倒れるおそれは生じない。また、積み重ね補助手段の不使用時には、上辺が下に位置するように半回転させて遊技ユニットの側部に形成してある凹部に収納された状態に保持可能としておけば、遊技ユニットの着脱作業等の邪魔にならない。
【００１２】
（請求項５に記載した発明の特徴）
請求項５に記載した発明は、積み重ね補助手段の第２の構成例について具体化したものである。この積み重ね補助手段は、門形に形成された脚部及びこれらの脚部の各先端部を直角に折り曲げてなる足部からなる支持部材と、上記の各足部を遊技ユニットの上部に揺動自在に支持する支軸とにより構成されている。この積み重ね補助手段の使用時には、上記の足部が遊技ユニットの上部に当接しているとともに上記の脚部が遊技ユニット上に起立可能としてある。このように起立した脚部の各上端部に他の遊技ユニットを積み重ねれば、遊技ユニットの凹凸により積み重ねる際における障害を克服して積み重ね可能となる。また、この積み重ね補助手段の不使用時には、上記の足部が遊技ユニットの上面に当接しているとともに、上記の脚部は上記遊技ユニットの側面に設けられた凹に沿って垂下可能とすることにより、遊技ユニットの着脱作業に支障を生じさせないようになっている。
【００１３】
（請求項６に記載した発明の特徴）
請求項６に記載した発明は、請求項４及び請求項５に記載した積み重ね補助手段の支持部材を、いずれも門形に形成したものを採用してあることから、これらの支持部材はいずれも遊技ユニットを運搬する際における運搬補助手段を兼ねていることを特徴とする。この支持部材を採用した積み重ね補助手段は、運搬補助手段としての機能を兼備しているので、運搬作業はもとより積み重ね作業にも便利になる。
【００１４】
（請求項７に記載した発明の特徴）
請求項７に記載した発明は、積み重ね補助手段の第３の構成例を具体化したものである。この積み重ね補助手段は、遊技ユニットの両側上部に固着してある保持部材と、この保持部材に揺動自在に支持されているとともに、内回りで回動させて斜め上向きになったときに、上記の保持部材の各ストッパ部に当接するまで回動可能に設けてある１対の支持板と、他の積み重ねられる遊技ユニットの底板部に取り付けてあり、各支持板の自由端部を係止可能に形成してなる係止部を有する底部係止部材とにより構成されている。各支持板は積み重ね補助手段の使用時には、末広がり状になっている１対の各支持板の上端部に、上記遊技ユニットを支持可能としてある。また、積み重ね補助手段の不使用時には、上記の保持部材に垂下状態に支持可能とすることにより、遊技ユニットの着脱作業に支障を生じないようにしてある。この積み重ね補助手段は構成がやや複雑となっているが、安定的に遊技ユニットを積み重ね可能となっているところに特徴がある。
【００１５】
（請求項８に記載した発明の特徴）
請求項８に記載した発明は、積み重ね補助手段の第４の構成例を具体化したものである。この積み重ね補助手段は、遊技ユニットの各側部にガイド手段を介して昇降自在に設けてある載置部材と、この載置部材の内側に揺動自在に支持されているＬ字形断面の支持プレートとを組み合わせたものからなる。この支持プレートは、積み重ね補助手段の不使用時には、Ｌ形断面に形成された支持プレートの長辺部が遊技ユニットの上部に水平になって当接している。これとともに、載置部材の上面板部すなわち、遊技ユニットの上部と対向している部分は、支持プレートの長辺部の上面に折り重なった状態で当接するようになっている。この積み重ね補助手段の使用時には、支持プレートの短辺部が遊技ユニットの後部上面に形成された係合凹部に係合し、長辺部が起立して載置部材を所定高さに支持可能としてある。
【００１６】
この積み重ね補助手段は、上記の支持プレートが水平になっているときに、上記の載置部材をガイド手段に沿って持ち上げると、遊技ユニットが相対的に降下するため、水平になって遊技ユニットに支えられていた支持プレートは、これに応じて自重により回動して垂直状態になる。この時、短辺部は下方に位置して遊技ユニットの上部に設けてある係合凹部上に位置している。ここで、載置部材を降下させると、短辺部が上記の係合凹部に係合し、長辺部が起立状態となってこの載置部材を浮上させた状態に支持可能となる。載置部材の上面の位置を前枠部の上辺の高さ以上としてあれば、遊技ユニットを積み重ねる際における支障を生じないものとすることができる。
【００１７】
（請求項９に記載した発明の特徴）
請求項９に記載した発明は、請求項８に係る積み重ね補助手段に、起立状態になって上記の載置部材を支持している支持プレートの起立状態を解除するために用いる支持プレート解除窓が設けてあるところに特徴がある。この支持プレート解除窓は、遊技ユニットの後部側面を部分的に覆うように設けてある側面板部に人間の手が入る大きさに設けた窓穴からなる。これは、積み重ね補助手段が使用状態となっているときに、これを不使用状態、すなわち筐体に着脱可能状態に復帰させるには、支持プレートを係合凹部から外してこれを水平にする必要がある。この発明は、このような支持プレートを操作するための手段として、上記の支持プレート解除窓により対処可能としてあるところに特徴がある。積み重ね補助手段を不使用状態に復帰させる操作は、この載置部材を上記のガイド手段に沿って僅かに持ち上げる。次に、支持プレート解除窓から手を入れて支持プレートの短辺部を押し込み、短辺部を上記の係合凹部から離脱させた後に、載置部材を降下させれば重力作用により、支持プレートの長辺部が水平状態となる。水平になった長辺部の上に載置部材を当接状態に復帰させることにより不使用状態にすることが可能となる。
【００１８】
【発明の実施の形態】
（スロットマシン全体の概要構成）
図１，２は、遊技機としてのスロットマシン１の全体的な構成の概要を示したものである。図１，２に示すように、スロットマシン１は、筐体３と、この筐体の上部に着脱自在な遊技ユニットとしてのスロットユニット５及び前面扉ユニット７とにより構成されている。スロットユニット５は、筐体３の収納部３ａに収納される本体部９と、この本体部９の前部につば状に設けてある前枠部１１とからなる。本体部９内にはスロットドラム１３が収納されており、本体部９の前端部すなわち本体部９と前枠部１１との境界は、筐体の収納部３ａの内周部と一致する嵌め込み部９ａとなっている。また、スロットユニット５（本体部９）の下面に位置する底板部９ｂは、上記の収納部３ａに対して出し入れ容易な形状に構成してある。本体部９の後端下部にはキャスター９ｃが設けてあり、スロットユニット５を着脱する際における進退操作を容易にしてある。
【００１９】
スロットユニット５を構成する前枠部１１の前面には、リール部１１ａ、電飾部１１ｂ及びスピーカー１１ｃ，１１ｃ等が設けてある。筐体の下部に位置する前面扉ユニット７は、一側部がヒンジ（図示略）を介して筐体３に開閉自在に取り付けられた扉１５の前面にゲームの操作部１７、パネル表示部１９及びメタル受け部２１を備えたものからなる。操作部１７にはゲームの開始スイッチ、ゲームボタン、メタル投入孔などが設けてある。また、パネル表示部１９には、前面パネル枠２３にゲームに関連するデザインを施してなる前面パネル２５を嵌め込んでなるパネルユニット２７が着脱自在に装着してある。また、パネル表示部１９にはライト２９が設けてあり、装着されたパネルユニット２７の図柄等を明るく映し出し可能としてある。図２に示すように、筐体３の収納部３ａの底板３１にはゲームの制御基板３３や電源ユニット（図示略）が設けてあり、収納されたスロットユニット５を駆動可能としてある。また、筐体３の下部スペース３ｂには電源装置その他の装置が収納されている（図示略）。なお、スロットユニット５の前枠部１１の外周部となる額縁上の枠体を前面扉ユニット７の上方にこれと一体に形成するようにしてもよい。
【００２０】
（積み重ね補助手段について）
上述の通り、スロットユニット５は形状が複雑であるため、筐体から取り外したままの状態では、積み重ねることが不可能である。そこで本発明は、スロットユニットの積み重ねを可能にする積み重ね補助手段の例として、以下に説明するいくつかの手段を採用した。
【００２１】
（積み重ね補助手段の第１例）
積み重ね補助手段の第１例は、図３に示すように、スロットユニット５の本体部９の両サイド上端に積み重ね補助手段４０を構成する門形の支持部材４１を各外側に対して揺動可能に設けたものである。この支持部材４１は、脚部４１ａが本体部９の両サイドに形成した凹部９ｄの支軸（図示略）に支持されることにより揺動可能に取り付けたものからなる。支持部材４１の各脚部４１ａ，４１ｂの外側部間の距離、すなわち、はり部４１ｃの全長は、凹部９ｄの内側壁部間の距離よりも短くして支持部材の起伏操作の際における余裕を持たせてある。支持部材４１における一方の脚部４１ａの基端部近傍には、係合突部４１ｄが設けてあり、これに対応する本体部９の凹部９ｄの内側壁部には係合凹部９ｅが設けてある。また、他方の脚部４１ｂを支持している支軸には、この支持部材４１を一方の脚部４１ａ側に向けて付勢するための付勢手段としての圧縮コイルばね（図示略）が挿着してある。このため、支持部材が起立状態になっているときには、上記の係合突部４１ｄと係合凹部９ｅとが付勢された状態で係合しているため、支持部材に荷重が作用しても倒れるおそれが生じない。この積み重ね補助手段４０の不使用時には、支持部材４１を外方へ引くように回動させると、上記の付勢力に抗して係合突部４１ｄの係合状態が解除される。
【００２２】
図４に示すように、スロットユニット５を積み重ねる際には、これらの支持部材４１を起立状態とし、その上に積み重ねる他のスロットユニット５を載せるだけでよい。なお、スロットユニット５の底板部９ｂに支持部材４１と係合する凹部を設けておけば、ここに支持部材のはり部４１ｃが係合することにより安定した積み重ね状態が得られる。また、支持部材４１はスロットユニット５を持ち上げるときの把手の機能を有することから運搬補助手段としても有効である。
【００２３】
（積み重ね補助手段の第２例）
第２例の積み重ね補助手段も第１例と同様に、支持部材をスロットユニット５の本体部９に対して起立状態に保持することにより、他のスロットユニットを積み重ね可能とするものである。図５に示すように、この積み重ね補助手段５０を構成する支持部材５１は、本体部９の側部寄りの上面に、Ｌ字形断面に形成したものからなる。また、この支持部材５１は、本体部９に対して起立状態と垂下状態のいずれにも保持可能に設けたものである。ここでＬ字形の長辺を脚部５１ａとし、短辺を足部５１ｂと呼ぶこととする。脚部５１ａは、同図（ｂ）に示すように、門形に形成してあり、上辺のはり部５１ｃは、起立状態になっているときには、スロットユニット５の前枠部１１よりも高くなっている。足部５１ｂ，５１ｂの先端部には軸受け孔（図示略）が設けあり、本体部９の上部に設けられた軸受け部９ｆに、ピン９ｇを嵌め込むことにより本体部９に揺動自在に支持されている。
【００２４】
この支持部材５１は、脚部５１ａを起立させると、足部５１ｂが上記の本体部９の上面で水平状態になって当接しているため、脚部５１ａに下向きの力が加わっても倒れるおそれは生じない。また、この支持部材は、積み重ね補助手段５０の不使用時には、外側へ回動させることにより、図５に２点鎖線で示してあるように、脚部５１ａが本体部９の側面に沿って垂下した状態となるため、スロットユニット５を筐体に装着する際の邪魔にならない。
【００２５】
図６は、支持部材５１，５１を起立状態とし、スロットユニット５に他のスロットユニット５を積み重ねた状態を示している。図示してあるように、上記の脚部５１ａ（はり部５１ｃ）が当接する本体部９の底板部９ｂに、この脚部５１ａが没する凹部５１ｄを設けておけば、脚部５１ａの先端部（はり部５１ｃ）が、この凹部５１ｄと没することにより安定した積み重ね状態が得られる。なお、支持部材５１の脚部５１ａが起立状態になっているときには、これが把手としても機能することから、運搬補助手段としての役割を兼ねるものとなっている。
【００２６】
（積み重ね補助手段の第３例）
第３例としての積み重ね補助手段６０は、図７〜９に示すように、スロットユニット５の本体部９の各側上部に取り付けられた各１対の支持板６１，６１と、積み重ねる他のスロットユニット５の底板部９ｂに設けられた底部係止部材６３とを組み合わせたもので構成されている。これらの支持板６１，６１は、本体部９の両側の上部に固定された保持部材６５に揺動自在に取り付けられており、内回りに回転させる（互いに接近する方向へ回す）と、最終的に保持部材６５の両端に折り曲げるように形成してなるストッパ部６５ａに係止されることにより、２枚が１組となって末広がり状になって他のスロットユニット５を支持可能に構成してある。なお、図９に示すように、保持部材６５は、保持部材６５の側端を折り曲げるように形成してなる突片６５ｂ，６５ｂを有し、これらの突片６５ｂ，６５ｂにはネジ孔６５ｃ，６５ｃが形成してある。これらのネジ孔６５ｃ，６５ｃに貫通させたネジ６９，６９により、保持部材６５を本体部９（図８参照）に取り付けられるように構成してある。
【００２７】
この積み重ね補助手段６０の支持板６１，６１は、不使用時には支軸６７，６７を介して吊り下げられた状態としてある。この積み重ね補助手段６０を使用してスロットユニット５の上に他のスロットユニット５を積み重ねる場合には、各支持板６１，６１を回動させ、図７に示すように、末広がり状に位置させ、先端（上端）部の水平になっている部分に、積み重ねる方のスロットユニット５の底部係止部材６３を当接すればよい。各支持板６１，６１は、積み重ねられたスロットユニット５の重力の分力により広がる方向の力を受けるが、先端部が底部係止部材６３の折り曲げ部６３ａにより係止されるため、積み重ねられたスロットユニット５を支持した状態が維持される。
【００２８】
（積み重ね補助手段の第４例）
第４例としての積み重ね補助手段７０は、図１０〜１２に示すように、スロットユニット５（本体部９）の両側上部に昇降可能に取り付けられた載置部材７１と、支持プレート７３とにより構成されている。載置部材７１は、後面板部７１ａと、この後面板部７１ａから起立する上面板部７１ｂ及び側面板部７１ｃを有し、本体部９の上面、側面及び背面の三面を部分的に覆えるように構成してある。この載置部材７１は、本体部５の後部側面を覆っている後面板部７１ａに設けられたガイド手段７５（図１１参照）により本体部９に対して昇降可能に設けてある。ガイド手段７５は、後面板部７１ａに垂直に設けられた２本のガイド溝７５ｄ，７５ｄと、ガイドピン７５ｅ，７５ｅとからなる。上記の支持プレート７３は、Ｌ字形断面に形成してなる広幅の板体からなり、長辺部（脚部）７３ａと、短辺部（足部）７３ｂとからなる。長辺部７３ａの先端部に設けられた軸部７３ｄ，７３ｅは、載置部材７１の後面板部７１ａと上面板部７１ｂとの境界に軸受け部７７ａ、７７ｂに支持されている（図１２参照）。
【００２９】
この支持プレート７３は、積み重ね補助手段７０の不使用時には、図１１の左側に示してあるように、長辺部７３ａが本体部９の上面に水平に横たわり、短辺部７３ｂが載置部材７１の上面プレート７１ｂの内端部から露出して垂直となっている。これに対して積み重ね補助手段７０の使用時には、短辺部７３ｂが本体部９の上面に設けられた係合溝部９ｈに係合し、長辺部７３ａは起立状態となり、その先端部で載置部材７１を浮上させた状態に支持している。この時、載置部材７１の上面プレート７１ａは、スロットユニット５の前枠部１１の上辺よりも上に位置するようにしてある。左右両方の載置部材７１，７１を上記のように浮上させた状態にしておけば、この上に他のスロットユニット５を積み重ねることが可能となるので、第１〜第３例と同様に、複数台を積み重ね可能となる。なお、支持プレート７３は、短辺部を省略してＩ字形断面として形状をシンプル化してもよい。
【００３０】
また、側面プレート７１ａのほぼ中央部には、積み重ね補助手段７０を使用状態から不使用状態に切り換える操作をするための支持プレート解除窓７７が設けてある。これは、図１１の右側に示してあるように、支持プレート７３の長辺部７３ａが起立状態となっている時に、載置部材７１を少し持ち上げて、支持プレート７３の短辺部７３ｂを係合溝部９ｈから外し、上記の支持プレート解除窓７７から手を入れて長辺部７３ａを押し込むことにより、長辺部７３ａを本体部９上に置くことにより行われる。
【００３１】
この他、積み重ね補助手段としては、本体部に取り付けられることなく独立した支持部材を採用し、あるいは着脱自在に設けるものとすることも可能である。また、この積み重ね補助手段は、スロットユニットに対して着脱自在とすることにより、積み重ねる際にのみスロットユニットに装着することも可能であり、これにより仮置きするスロットユニットにのみ装着し、不要なものについては装着不要としてコスト低減を図るようにすることも可能である。なお、運搬補助手段としては、上記説明の他、片手でスロットユニットを持ち上げ可能とするように設けたものとしてもよい。
【００３２】
【発明の効果】
本発明によれば、積み重ね補助手段の採用により遊技ユニットを積み重ね可能となるので、狭い遊技場の通路の有効利用や倉庫やトラックなどのスペースの有効利用が可能となる。また、積み重ね補助手段に運搬補助手段としての機能を兼備したものにあっては、遊技ユニットの仮置きのための積み重ね作業は元より、遊技ユニットの運搬が容易になる。
【図面の簡単な説明】
【図１】本発明の適用対象となる遊技機であるスロットマシンの全体の構成を示す分解斜視図である。
【図２】同、別の観点から表示したスロットマシンの全体の構成を示す分解斜視図である。
【図３】積み重ね補助手段の第１例を示す斜視図である。
【図４】積み重ね補助手段の第１例によりスロットユニットを積み重ねた状態を示す側面図である。
【図５】積み重ね補助手段の第２例の構成を示すものであり、（ａ）は要部の背面図、（ｂ）は支持部材の拡大図である。
【図６】積み重ね補助手段の第２例によりスロットユニットを積み重ねた状態を示す背面図である。
【図７】積み重ね補助手段の第３例によりスロットユニットを積み重ねた状態を示す側面図である。
【図８】積み重ね補助手段の第３例が使用可能状態になっている状態を示す背面図である。
【図９】積み重ね補助手段の第３例の動作を示す斜視図である。
【図１０】積み重ね補助手段の第４例を備えたスロットユニットを示す側面図である。
【図１１】積み重ね補助手段の第４例の構成を示す要部の断面図である。
【図１２】積み重ね補助手段の第４例の構成の要部を示すものであり、（ａ）はその斜視図であり、（ｂ）はその正面図である。
【符号の説明】
１　　　　　　　　　　　遊技機（スロットマシン）
３　　　　　　　　　　　筐体
３ａ　　　　　　　　　　収納部
５　　　　　　　　　　　遊技ユニット（スロットユニット）
７　　　　　　　　　　　前面扉ユニット
９　　　　　　　　　　　本体部
９ｂ　　　　　　　　　　底板部
９ｆ　　　　　　　　　　軸受け部
９ｇ　　　　　　　　　　支軸
９ｈ　　　　　　　　　　係合凹部
１１　　　　　　　　　　前枠部
１５　　　　　　　　　　扉
１７　　　　　　　　　　操作部
１９　　　　　　　　　　パネル表示部
２７　　　　　　　　　　パネルユニット
４０，５０，６０，７０　積み重ね補助手段
４１，５１　　　　　　　支持部材
５１ａ，７３ａ　　　　　長辺部（脚部）
５１ｂ、７３ｂ　　　　　短辺部（足部）
６１　　　　　　　　　　支持板
６３　　　　　　　　　　底部係止部材
６３ａ　　　　　　　　　折り曲げ部
６５　　　　　　　　　　保持部材
６５ａ　　　　　　　　　ストッパ部
７１　　　　　　　　　　載置部材
７１ａ　　　　　　　　　後面板部
７１ｂ　　　　　　　　　上面板部
７１ｃ　　　　　　　　　側面板部
７３　　　　　　　　　　支持プレート
７５　　　　　　　　　　ガイド手段
７７　　　　　　　　　　支持プレート解除窓
【図１】
2004097627.tif 000003
【図２】
2004097627.tif 000004
【図３】
2004097627.tif 000005
【図４】
2004097627.tif 000006
【図５】
2004097627.tif 000007
【図６】
2004097627.tif 000008
【図７】
2004097627.tif 000009
【図８】
2004097627.tif 000010
【図９】
2004097627.tif 000011
【図１０】
2004097627.tif 000012
【図１１】
2004097627.tif 000013
【図１２】
2004097627.tif 000014